(57)【要約】【課題】液晶表示装置をパーシャル駆動する際の消費電力を削減させること。【解決手段】液晶表示パネルを表示駆動する構成において、液晶表示パネルの一部領域を非表示領域とし、残りの領域を表示領域とするパーシャル駆動時に、非表示領域のリフレッシュ動作を複数フレーム期間毎に行い、非表示領域のリフレッシュ動作を行わないフレーム期間において、１フレーム期間を一定時間に維持しつつ、表示領域を走査する期間のみを有し、これに対応して、対向電極駆動信号ＶＣＯＭの極性反転の回数を、非表示領域のリフレッシュ動作を行うフレーム期間における回数より低減して、消費電力を削減する。【選択図】図２
2008185996.tif 000002
【特許請求の範囲】
【請求項１】
複数の走査ライン及び複数の信号ラインの各交点近傍にマトリクス状に配列されて画素電極を有する複数の表示画素と、各画素電極の対向位置に配設される対向電極と、を有する液晶表示パネルを備え、前記液晶表示パネルを表示駆動する液晶表示装置において、
前記液晶表示パネルの前記複数の走査ラインに１ライン走査期間毎に順次走査信号を印加して走査する複数の走査側駆動手段と、
前記液晶表示パネルの前記対向電極に前記１ライン走査期間に対応して極性反転する対向電極信号を印加する対向電極駆動手段と、
前記液晶表示パネルの一部領域を非表示状態とされた非表示領域に、残りの領域を表示状態とされた表示領域とするパーシャル駆動時に、複数フレーム期間毎に前記非表示領域のリフレッシュ動作を行い、該リフレッシュ動作を行うフレーム期間において、１フレーム期間中に、前記表示領域を順次走査して表示状態とし、前記非表示領域を走査して、該非表示領域のリフレッシュ動作を行い、該リフレッシュ動作を行わないフレーム期間において、前記１フレーム期間を一定の時間に維持し、前記表示領域を順次走査して表示状態とし、前記リフレッシュ動作における前記非表示領域を走査する期間に対応する期間を備えないように制御する制御手段と、
を備えることを特徴とする液晶表示装置。
【請求項２】
前記制御手段は、前記非表示領域の前記リフレッシュ動作を行わないフレーム期間における前記表示領域に対して前記走査信号を印加させる前記１ライン走査期間を、前記非表示領域の前記リフレッシュ動作を行うフレーム期間における前記表示領域に対して前記走査信号を印加させる前記１ライン走査期間よりも長くすることを特徴とする請求項１に記載の液晶表示装置。
【請求項３】
前記制御手段は、前記非表示領域の前記リフレッシュ動作を行うフレーム期間において、該非表示領域の全走査ラインに、前記表示領域に対する前記１ライン走査期間の１乃至複数倍の期間、同時に前記走査信号を印加させて、前記リフレッシュ動作させることを特徴とする請求項１に記載の液晶表示装置。
【請求項４】
前記制御手段は、前記非表示領域の前記リフレッシュ動作を行うフレーム期間において、該非表示領域の前記複数の走査ラインを所定数に分割し、前記表示領域に対する前記１ライン走査期間に対応する期間毎に、該分割した走査ライン毎に同時に前記走査信号を印加させ、前記１ライン走査期間の前記所定数倍の期間で前記リフレッシュ動作させることを特徴とする請求項１に記載の液晶表示装置。
【請求項５】
前記リフレッシュ動作において、一括駆動される前記非表示領域の前記複数の走査ラインは、当該非表示領域の前記複数の走査ラインを偶数ライン及び奇数ラインに２分割したものであり、前記１ライン走査期間の２倍の期間でリフレッシュ動作させることを特徴とする請求項４に記載の液晶表示装置。
【請求項６】
前記制御手段は、前記リフレッシュ動作において、前記偶数ラインを前記リフレッシュ動作させる期間と奇数ラインを前記リフレッシュ動作させる期間とで、前記対向電極信号の極性を反転させるように前記対向電極駆動手段を制御することを特徴とする請求項５に記載の液晶表示装置。
【請求項７】
複数の走査ライン及び複数の信号ラインの各交点近傍にマトリクス状に配列されて画素電極を有する複数の表示画素と、各画素電極の対向位置に配設される対向電極と、を有する液晶表示パネルを備え、一定のフレーム期間毎に前記液晶表示パネルを表示駆動する液晶表示装置の駆動制御方法において、
前記液晶表示パネルの前記複数の走査ラインに１ライン走査期間毎に順次走査信号を印加する手順と、
前記液晶表示パネルの前記対向電極に印加する対向電極信号を前記１ライン走査期間に対応して極性反転させる手順と、
前記液晶表示パネルの一部領域を非表示状態とされた非表示領域に、残りの領域を表示状態とされた表示領域とするパーシャル駆動時に、複数フレーム期間毎に前記非表示領域のリフレッシュ動作を行い、該リフレッシュ動作を行うフレーム期間において、１フレーム期間中に、前記表示領域を順次走査して表示状態とし、前記非表示領域を走査して、該非表示領域のリフレッシュ動作を行い、該リフレッシュ動作を行わないフレーム期間において、前記１フレーム期間を一定の時間に維持し、前記表示領域を順次走査して表示状態とし、前記リフレッシュ動作における前記非表示領域を走査する期間に対応する期間を備えないようにする手順と、
を含むことを特徴とする液晶表示装置の駆動制御方法。
【請求項８】
前記非表示領域の前記リフレッシュ動作を行わないフレーム期間における前記表示領域に対して前記走査信号を印加させる前記１ライン走査期間を、前記非表示領域の前記リフレッシュ動作を行うフレーム期間における前記表示領域に対して前記走査信号を印加させる前記１ライン走査期間よりも長くする手順を含むことを特徴とする請求項７に記載の液晶表示装置の駆動制御方法。
【請求項９】
前記非表示領域の前記リフレッシュ動作を行うフレーム期間において、該非表示領域の全走査ラインに、前記表示領域に対する前記１ライン走査期間の１乃至複数倍の期間、同時に前記走査信号を印加して、前記リフレッシュ動作を行うことを特徴とする請求項７に記載の液晶表示装置の駆動制御方法。
【請求項１０】
前記非表示領域の前記リフレッシュ動作を行うフレーム期間において、該非表示領域の前記複数の走査ラインを所定数に分割し、前記表示領域に対する前記１ライン走査期間に対応する期間毎に、該分割した走査ライン毎に同時に前記走査信号を印加して、前記１ライン走査期間の前記所定数倍の期間で前記リフレッシュ動作を行うことを特徴とする請求項７に記載の液晶表示装置の駆動制御方法。
【請求項１１】
前記リフレッシュ動作において、一括駆動される前記非表示領域の前記複数の走査ラインは、当該非表示領域の前記複数の走査ラインを偶数ライン及び奇数ラインに２分割したものであり、前記１ライン走査期間の２倍の期間でリフレッシュ動作させることを特徴とする請求項１０に記載の液晶表示装置の駆動制御方法。
【請求項１２】
前記リフレッシュ動作において、前記偶数ラインを前記リフレッシュ動作させる期間と奇数ラインを前記リフレッシュ動作させる期間とに対応して、前記対向電極信号の極性を反転させることを特徴とする請求項１１に記載の液晶表示装置の駆動制御方法。
【発明の詳細な説明】
【技術分野】
【０００１】
本発明は、画面を表示領域と非表示領域とに分割して表示する液晶表示装置及びその駆動制御方法に関する。
【背景技術】
【０００２】
携帯電話機等の携帯型の電子機器では、表示装置として、軽量化、薄型化、低消費電力化が可能な液晶表示装置が多く用いられている。特に、アクティブ素子として薄膜トランジスタ（ＴＦＴ）を用いたアクティブマトリクス方式の液晶表示装置が多用されている。
【０００３】
かかる液晶表示装置では、液晶表示パネル上に、複数の走査ラインと、複数の信号ラインとがそれぞれ直交して配設され、各交点近傍に表示画素が形成されている。
【０００４】
図１（Ｂ）は、その表示画素１００の構成の一例を示す等価回路図である。同図に示すように、各表示画素は、薄膜トランジスタ（ＴＦＴ）１０２を介して走査ラインＧ及び信号ラインＳに接続された画素電極１０４と、該画素電極１０４に対向する位置に配置された対向電極１０６と、それら画素電極１０４と対向電極１０６との間に液晶が充填されてなる画素容量１０８と、該画素容量１０８と並列接続され、該画素容量１０８の印加電圧を保持する補助容量１１０とから構成され、画素電極１０４と対向電極１０６との間に形成される電界により液晶の配列が変化することを用いて、画像表示が実現される。
【０００５】
より詳細には、ＴＦＴ１０２のゲートが走査ラインＧに接続され、ソース電極が信号ラインＳに接続され、ドレイン電極が画素容量１０８の画素電極１０４及び補助容量１１０の一方の電極に接続されている。また、対向電極１０６には、所定の共通電圧（対向電極信号）ＶＣＯＭが印加され、補助容量１１０の他方の電極は共通ライン（補助容量ライン）Ｃに接続されて、前記所定の共通電圧（対向電極信号）ＶＣＯＭが印加されている。そして、走査ラインＧを介してＴＦＴ１０２のゲートに高電位が印加されてＴＦＴ１０２がＯＮとなると、画素電極１０４に信号ラインＳの電位が印加されることで画素電極１０４と対向電極１０６との間に電界が形成され、かかる電極間に充填されている液晶が駆動される。
【０００６】
尚、液晶表示装置では、表示画像を視覚的に捉えられるようにするため、例えば液晶表示パネルの裏面にＬＥＤ等によるバックライトが設けられ、液晶の配列によってバックライトの射出光の透過量が制御されて、各表示画素の輝度が調整される。
【０００７】
図４（Ａ）は、このような液晶表示装置の駆動信号波形の一例を示す図である。ここでは、液晶表示パネルの走査ライン数を「ｍ」としている。同図においては、横軸を時間軸として、上から順に、液晶表示パネルの表示期間、走査信号が印加されるゲート番号、信号ラインＳに印加される表示信号の極性、及び、対向電極１０６に印加される共通電圧ＶＣＯＭの信号波形を示している。
【０００８】
同図に示すように、１フレーム期間は、画面表示を行う表示期間と、非表示期間（帰線期間）であるフロントポーチ（以下、ＦＰと略記する）とから成る。表示期間では、液晶表示パネルの走査ラインＧが１ライン走査期間毎に順に走査（スキャン）されて選択状態とされるとともに、該液晶表示パネルに表示させる画像の表示信号が信号ラインＳに印加される。
【０００９】
一般的に、液晶表示装置では、液晶が充填される画素電極１０４−対向電極１０６間の電界の極性を所定周期で反転させる反転駆動が行われている。液晶表示パネルでは、上述のように、電極１０４，１０６間の電界に応じて液晶の配列が決定されるが、かかる電極１０４，１０６間に直流を印加すると、焼き付けが発生したり、液晶の劣化や破壊を引き起こす原因となる。このため、電極１０４，１０６間の電界の極性を周期的に反転させることで、これを防止している。
【００１０】
反転駆動方法としてはライン反転駆動やフレーム反転駆動が一般的である。ライン反転駆動とは、各表示画素の極性を走査ライン毎に反転させるとともに、フレーム期間毎にも反転させる方法である。また、フレーム反転駆動とは、各表示画素の極性をフレーム期間毎に反転させる方法である。ここで、「フレーム」とは、各液晶表示パネルに１つの画像を表示させる期間の単位のことを言う。
【００１１】
即ち、図４（Ａ）に示した信号波形は、ライン反転駆動且つフレーム反転駆動としたものであって、表示信号及び共通電圧ＶＣＯＭの極性が、１走査ライン毎に反転されるとともに、フレーム期間毎にも反転される。表示信号は、共通電圧ＶＣＯＭと極性が逆になるように制御される。
【００１２】
このような液晶表示装置が用いられる携帯型の電子機器においては、電池駆動が一般的である。そのため、低消費電力が余儀なくされるが、その一方で、高解像度・高画質の画像表示が要求され、画面表示に伴う電力消費が増大化している。
【００１３】
そこで、携帯電話機などでは、例えば待ち受け時などに、全画面表示をせずに、画面の一部に時刻やアイコン等を表示し、それ以外の部分を非表示状態とする、いわゆるパーシャル駆動を採用し、消費電力を低減させているものが多く、そのようなパーシャル駆動を実現するための提案も多数なされている（例えば、特許文献１参照）。
【００１４】
このようなパーシャル駆動を行う場合、液晶パネルの非表示状態とされる非表示部の表示画素は、通常、印加電圧の低い側の表示色、例えば、ノーマリーホワイトの場合は白色表示状態とされる。その理由は、印加電圧が低く消費電力化が可能であることなどが挙げられる。もちろん、それ以外の電圧でも構わない。
【００１５】
パーシャル駆動においては、液晶パネルの非表示部は非スキャン状態とされ、表示部は走査ラインが順にスキャンされて、信号ラインに印加される表示信号に応じて画面表示が行われる。しかし非表示部の走査ラインが非スキャン状態であってＴＦＴ１０２がオフとされていても、ＴＦＴ１０２のソース・ドレイン間にはリーク電流が発生する。更に非表示部・表示部に配設された信号ラインは共通であるため、信号ラインの電位は表示部に対する表示信号によって変化する。このため、非表示部は走査ラインが非スキャン状態であっても、リーク電流によって液晶に印加される電界が変化し、非表示状態を良好に維持することができない。
【００１６】
そこで、非表示部を非表示状態（例えば、白表示状態）にしている間、該非表示部に対応する走査ラインをスキャンすると共に、白表示の表示信号を信号ラインに印加することにより、該非表示部の全面を白表示状態とする動作を実施する必要がある。この頻度は必ずしも毎フレーム行う必要はなく、所定のタイミングで定期的に行われれば良い。この動作を「リフレッシュ動作」と言い、例えば複数フレームに１回のペースで行われる（インターバルリフレッシュ）。
【００１７】
図４（Ｂ）は、パーシャル駆動時に、３フレームに１回のペースで非表示部をリフレッシュ動作する場合の従来の信号波形の一例を示す図である。ここでは、液晶表示パネルの走査ライン数を「ｍ」とし、その内のｎラインに相当する表示画素を表示部として、残りの表示画素を非表示部としている。同図において、横軸を時間軸として、上から順に、液晶表示パネルの表示期間、走査信号が印加されるゲート番号、信号ラインＳに印加される表示信号の極性、及び、対向電極１０６に印加される共通電圧ＶＣＯＭの信号波形を示している。
【００１８】
例えば、リフレッシュ動作が行われるｘフレームにおいては、表示部に対応する期間では、走査ラインＧ1〜Ｇnが１ライン走査期間毎に順にスキャンされると共に、その表示部の表示画素に表示させる画像の表示信号が信号ラインＳに印加される。また、非表示部に対応する期間（リフレッシュ動作期間）では、走査ラインＧn+1〜Ｇmが１ライン走査期間毎に順にスキャンされると共に、該非表示部の全表示画素白表示とするための表示信号が信号ラインＳに印加される。
【００１９】
続いて、リフレッシュ動作が行われないｘ＋１フレームでは、表示部に対応する期間では、前記ｘフレームと同様に、走査ラインＧ1〜Ｇnが１ライン走査期間毎に順にスキャンされると共に、その表示部の表示画素に表示させる画像の表示信号が信号ラインＳに印加される。これに対して、非表示部に対応する期間（リフレッシュ動作期間）では、走査ラインＧn+1〜Ｇmは非スキャン状態とされ、表示信号は信号ラインＳに印加されない。
【００２０】
次のｘ＋２フレームについても、このｘ＋１フレームと同様の動作が行われる。
【００２１】
次いで、ｘ＋４フレームでは、前記ｘフレームと同様に、表示部に画像を表示させるための動作が行われ、非表示部に対応する期間において再びリフレッシュ動作が行われる。
【００２２】
このように、例えば３フレームに１度のペースで、非表示とする液晶表示パネルの非表示部のリフレッシュ動作を行うことにより、該非表示部の非表示状態を維持していた。
【特許文献１】特開２００１−２０２０５３号公報
【発明の開示】
【発明が解決しようとする課題】
【００２３】
ところで、図４（Ｂ）において、共通電圧ＶＣＯＭの極性はライン毎に反転駆動される。この共通電圧ＶＣＯＭの反転駆動は、反転駆動を行うために、非表示部のリフレッシュ動作が行われないフレーム（例えば、ｘ＋１フレーム等）においても停止されることなく続ける必要があるため、消費電流に大きな無駄があった。
【００２４】
本発明は、上記の点に鑑みてなされたもので、液晶表示装置をパーシャル駆動する際の消費電力を削減させることができる液晶表示装置及び液晶表示装置の駆動制御方法を提供することを目的とする。
【課題を解決するための手段】
【００２５】
請求項１に記載の発明の液晶表示装置は、複数の走査ライン及び複数の信号ラインの各交点近傍にマトリクス状に配列されて画素電極を有する複数の表示画素と、各画素電極の対向位置に配設される対向電極と、を有する液晶表示パネルを備え、前記液晶表示パネルを表示駆動する液晶表示装置において、前記液晶表示パネルの前記複数の走査ラインに１ライン走査期間毎に順次走査信号を印加して走査する複数の走査側駆動手段と、前記液晶表示パネルの前記対向電極に前記１ライン走査期間に対応して極性反転する対向電極信号を印加する対向電極駆動手段と、前記液晶表示パネルの一部領域を非表示状態とされた非表示領域に、残りの領域を表示状態とされた表示領域とするパーシャル駆動時に、複数フレーム期間毎に前記非表示領域のリフレッシュ動作を行い、該リフレッシュ動作を行うフレーム期間において、１フレーム期間中に、前記表示領域を順次走査して表示状態とし、前記非表示領域を走査して、該非表示領域のリフレッシュ動作を行い、該リフレッシュ動作を行わないフレーム期間において、前記１フレーム期間を一定の時間に維持し、前記表示領域を順次走査して表示状態とし、前記リフレッシュ動作における前記非表示領域を走査する期間に対応する期間を備えないように制御する制御手段と、を備えることを特徴としている。
【００２６】
請求項２に記載の発明は、請求項１に記載の液晶表示装置において、前記制御手段は、前記非表示領域の前記リフレッシュ動作を行わないフレーム期間における前記表示領域に対して前記走査信号を印加させる前記１ライン走査期間を、前記非表示領域の前記リフレッシュ動作を行うフレーム期間における前記表示領域に対して前記走査信号を印加させる前記１ライン走査期間よりも長くすることを特徴としている。
【００２７】
請求項３に記載の発明は、請求項１に記載の液晶表示装置において、前記制御手段は、前記非表示領域の前記リフレッシュ動作を行うフレーム期間において、該非表示領域の全走査ラインに、前記表示領域に対する前記１ライン走査期間の１乃至複数倍の期間、同時に前記走査信号を印加させて、前記リフレッシュ動作させることを特徴としている。
【００２８】
請求項４に記載の発明は、請求項１に記載の液晶表示装置において、前記制御手段は、前記非表示領域の前記リフレッシュ動作を行うフレーム期間において、該非表示領域の前記複数の走査ラインを所定数に分割し、前記表示領域に対する前記１ライン走査期間に対応する期間毎に、該分割した走査ライン毎に同時に前記走査信号を印加させ、前記１ライン走査期間の前記所定数倍の期間で前記リフレッシュ動作させることを特徴としている。
【００２９】
請求項５に記載の発明は、請求項４に記載の液晶表示装置において、前記リフレッシュ動作において、一括駆動される前記非表示領域の前記複数の走査ラインは、当該非表示領域の前記複数の走査ラインを偶数ライン及び奇数ラインに２分割したものであり、前記１ライン走査期間の２倍の期間でリフレッシュ動作させることを特徴としている。
【００３０】
請求項６に記載の発明は、請求項５に記載の液晶表示装置において、前記制御手段は、前記リフレッシュ動作において、前記偶数ラインを前記リフレッシュ動作させる期間と奇数ラインを前記リフレッシュ動作させる期間とで、前記対向電極信号の極性を反転させるように前記対向電極駆動手段を制御することを特徴としている。
【００３１】
請求項７に記載の発明は、複数の走査ライン及び複数の信号ラインの各交点近傍にマトリクス状に配列されて画素電極を有する複数の表示画素と、各画素電極の対向位置に配設される対向電極と、を有する液晶表示パネルを備え、一定のフレーム期間毎に前記液晶表示パネルを表示駆動する液晶表示装置の駆動制御方法において、前記液晶表示パネルの前記複数の走査ラインに１ライン走査期間毎に順次走査信号を印加する手順と、前記液晶表示パネルの前記対向電極に印加する対向電極信号を前記１ライン走査期間に対応して極性反転させる手順と、前記液晶表示パネルの一部領域を非表示状態とされた非表示領域に、残りの領域を表示状態とされた表示領域とするパーシャル駆動時に、複数フレーム期間毎に前記非表示領域のリフレッシュ動作を行い、該リフレッシュ動作を行うフレーム期間において、１フレーム期間中に、前記表示領域を順次走査して表示状態とし、前記非表示領域を走査して、該非表示領域のリフレッシュ動作を行い、該リフレッシュ動作を行わないフレーム期間において、前記１フレーム期間を一定の時間に維持し、前記表示領域を順次走査して表示状態とし、前記リフレッシュ動作における前記非表示領域を走査する期間に対応する期間を備えないようにする手順と、を含むことを特徴としている。
【００３２】
請求項８に記載の発明は、請求項７に記載の液晶表示装置の駆動制御方法において、前記非表示領域の前記リフレッシュ動作を行わないフレーム期間における前記表示領域に対して前記走査信号を印加させる前記１ライン走査期間を、前記非表示領域の前記リフレッシュ動作を行うフレーム期間における前記表示領域に対して前記走査信号を印加させる前記１ライン走査期間よりも長くする手順を含むことを特徴としている。
【００３３】
請求項９に記載の発明は、請求項７に記載の液晶表示装置の駆動制御方法において、前記非表示領域の前記リフレッシュ動作を行うフレーム期間において、該非表示領域の全走査ラインに、前記表示領域に対する前記１ライン走査期間の１乃至複数倍の期間、同時に前記走査信号を印加して、前記リフレッシュ動作を行うことを特徴としている。
【００３４】
請求項１０に記載の発明は、請求項７に記載の液晶表示装置の駆動制御方法において、前記非表示領域の前記リフレッシュ動作を行うフレーム期間において、該非表示領域の前記複数の走査ラインを所定数に分割し、前記表示領域に対する前記１ライン走査期間に対応する期間毎に、該分割した走査ライン毎に同時に前記走査信号を印加して、前記１ライン走査期間の前記所定数倍の期間で前記リフレッシュ動作を行うことを特徴としている。
【００３５】
請求項１１に記載の発明は、請求項１０に記載の液晶表示装置の駆動制御方法において、前記リフレッシュ動作において、一括駆動される前記非表示領域の前記複数の走査ラインは、当該非表示領域の前記複数の走査ラインを偶数ライン及び奇数ラインに２分割したものであり、前記１ライン走査期間の２倍の期間でリフレッシュ動作させることを特徴としている。
【００３６】
請求項１２に記載の発明は、請求項１１に記載の液晶表示装置の駆動制御方法において、前記リフレッシュ動作において、前記偶数ラインを前記リフレッシュ動作させる期間と奇数ラインを前記リフレッシュ動作させる期間とに対応して、前記対向電極信号の極性を反転させることを特徴としている。
【発明の効果】
【００３７】
本発明によれば、液晶表示装置をパーシャル駆動する際に、複数フレーム期間毎に非表示領域のリフレッシュ動作を行い、リフレッシュ動作を行わないフレーム期間においては、１フレーム期間を一定時間に維持して、リフレッシュ動作における非表示領域を走査する期間に対応する期間を設けないようにし、これに対応して対向電極信号の反転回数を、非表示領域のリフレッシュ動作を行うフレーム期間における反転回数より減らして、液晶表示装置の消費電力を削減することができる。
【発明を実施するための最良の形態】
【００３８】
以下、本発明を実施するための最良の形態を、図面を参照して説明する。
【００３９】
［第１実施形態］
図１（Ａ）は、本発明の第１実施形態に係る液晶表示装置１０の全体構成を示すブロック図であり、図１（Ｂ）は表示画素の構成の一例を示す等価回路図である。
【００４０】
同図に示すように、本実施形態に係る液晶表示装置１０は、液晶表示パネル（ＴＦＴ−ＬＣＤ）１２、ソースドライバ部１４、ゲートドライバ部１６、ＶＣＯＭ信号発生部１８、信号処理部２０、タイミングジェネレータ（以下、ＴＧ部と略記する）２２、及び反転回路２５等を備えて構成される。
【００４１】
液晶表示パネル１２には、行方向に、ゲートドライバ部１６に接続されたｍ本の走査ライン（ゲートライン）Ｇ1〜Ｇmが配置（配線）されていると共に、列方向に、ソースドライバ部１４に接続されたｋ本の信号ライン（ソースライン）Ｓ1〜Ｓkが配置されている。そして、走査ラインＧ1〜Ｇmと信号ラインＳ1〜Ｓkとの各交点近傍には複数の表示画素１００が形成されている。
【００４２】
各表示画素１００は、図１（Ｂ）に示した構成を有し、アクティブ素子であるＴＦＴ１０２と、画素電極−対向電極間に液晶が充填されて成る画素容量（液晶容量）１０８と、画素容量１０８と並列に設けられ、画素容量１０８に印加された信号電圧を保持する補助容量１１０と、から構成される。即ち、液晶表示パネル１２には、画素数「ｋ×ｍ」の画面が形成されている。
【００４３】
より詳細には、画素容量１０８は、画素電極１０４が、ＴＦＴ１０２を介して走査ラインＧ及び信号ラインＳに接続され、対向電極１０６及び補助容量１１０の他端に接続される共通ラインＣにＶＣＯＭ信号発生部１８により生成された共通電圧（対向電極信号）ＶＣＯＭが印加されている。
【００４４】
そして、走査ラインＧ1〜Ｇmが１ライン走査期間毎に順次高電位とされて選択状態となると、対応する各表示画素のＴＦＴ１０２がＯＮになり、該各表示画素に対応する信号ラインＳ1〜Ｓkの電位が印加されることで１ライン分の表示データが書き込まれ、１つの画像が液晶表示パネル１２に表示される。
【００４５】
信号処理部２０は、本液晶表示装置１０の外部から映像信号が供給され、映像信号から、水平同期信号、垂直同期信号及びコンポジット同期信号等を抽出してＴＧ部２２に出力する。また、映像信号に含まれるＲＧＢの各色信号（ＲＧＢ信号）を抽出し、反転回路２５に供給する。反転回路２５は、ＴＧ部２２から入力される極性反転信号に基づいてＲＧＢ信号の極性を周期的に反転させて反転ＲＧＢ信号（輝度信号）を生成し、ソースドライバ部１４に出力する。
【００４６】
ＴＧ部２２は、信号処理部２０から入力される水平同期信号、垂直同期信号及びコンポジット同期信号に基づいて、映像信号に基づく画像を液晶表示パネル１２に表示させるための制御を行う。
【００４７】
具体的には、ＴＧ部２２は、信号ラインＳ1〜Ｓkに印加する表示信号の極性反転を制御する極性反転信号を生成して反転回路２５に出力する。また、液晶表示パネル１２の共通ラインに印加する共通電圧ＶＣＯＭの極性反転を制御する極性反転信号を生成してＶＣＯＭ信号発生部１８に出力する。
【００４８】
更に、ＴＧ部２２は、信号ラインＳ1〜Ｓkへの表示信号の印加タイミングを制御する水平制御信号を生成してソースドライバ部１４に出力する。また、走査ラインＧ1〜Ｇmへの走査信号（ゲートパルス）の印加タイミングを制御する垂直制御信号を生成してゲートドライバ部１６に出力する。
【００４９】
ソースドライバ部１４は、ＴＧ部２２から入力される水平制御信号に基づいて、反転回路２５から入力される反転ＲＧＢ信号（輝度信号）を順次サンプリングし、対応する表示信号電圧を、水平走査期間（１ライン走査期間）毎に、信号ラインＳ1〜Ｓkに一斉に印加する。
【００５０】
ゲートドライバ部１６は、ＴＧ部２２から入力される垂直制御信号に基づいて、液晶表示パネル１２の走査ラインＧ1〜Ｇmに走査信号（ゲートパルス）を順次印加する。また、ゲートドライバ部１６は例えばシフトレジスタ回路２４を備えて構成される。このゲートドライバ部１６には、ＴＧ部２２から垂直制御信号として、例えばゲートスタート信号、ゲートクロック信号及びゲートイネーブル信号が入力される。
【００５１】
ゲートスタート信号は、ゲートドライバ部１６を構成するシフトレジスタ回路２４におけるシフト動作を開始させるための信号であり、例えば“１”または“０”を示すデータによって構成される。シフトレジスタ回路２４は、ゲートスタート信号が入力されると共に、ゲートクロック信号に同期して順次シフト動作を行う。そしてゲートイネーブル信号が入力されると、各シフトレジスタに設定されたデータが対応する走査ラインに走査信号が印加される。
【００５２】
ＶＣＯＭ信号発生部１８は、ＴＧ部２２から入力される極性反転信号に基づいて極性を反転させた共通電圧ＶＣＯＭを生成し、液晶表示パネル１２の共通ラインＣに印加する。
【００５３】
以上の構成により、ゲートドライバ部１６に入力される垂直制御信号（ゲートスタート信号、ゲートクロック信号及びゲートイネーブル信号）、ソースドライバ部１４に入力される水平制御信号、極性反転信号等のＴＧ部２２から出力される各種制御信号によって、液晶表示パネル１２の各走査ラインのスキャン動作、信号ラインに印加される表示信号の出力タイミング及び該表示信号の極性反転駆動、共通電圧ＶＣＯＭの極性反転駆動が制御される。
【００５４】
また、本実施形態に係る液晶表示装置１０では、液晶表示パネル１２の一部に時刻やアイコン等を表示し、それ以外の部分を非表示状態とする、いわゆるパーシャル駆動表示を行うことが可能となっている。即ち、液晶表示パネル１２は、図１（Ａ）に示すように、表示が行われる表示部２６と表示が行われない非表示部２８とを設定することができる。ここで、走査ラインＧ1〜Ｇmのどの範囲を表示部２６とするかは、予め設定された固定値であってもよいし、任意に設定できるものであってもよい。後者の場合、例えばＴＧ部２２に設けた図示しないレジスタに、その設定値を書き込むことで、ＴＧ部２２からゲートドライバ部１６にそのスキャン範囲を設定するようにしてもよい。
【００５５】
以下、ＴＧ部２２の制御の下、液晶表示パネル１２をパーシャル駆動する場合の動作について説明する。なお、液晶表示パネル１２の全面表示を行う場合の動作は、図４（Ａ）を参照して前述した通りであるので、その説明は省略する。
【００５６】
本第１実施形態に係る液晶表示装置１０は、パーシャル駆動時、フレーム期間の時間を一定の時間に保ちつつ、液晶表示パネル１２の非表示状態とされる非表示部２８のリフレッシュ動作が行われないフレーム期間において、非表示部２８の走査期間に対応する期間を備えず、ライン反転周波数を下げ、対向電極に印加される対向電極信号の、１フレーム期間における極性反転の回数を少なくすることを特徴とするものである。
【００５７】
図２（Ａ）は、本実施形態に係る液晶表示装置１０の駆動方法において、パーシャル駆動時に、３フレームに１回のペースで非表示部をリフレッシュ動作する場合の信号波形の一例を示す図である。ここでは、液晶表示パネル１２の走査ライン数を「ｍ」とし、その内のｎラインに相当する表示画素を表示部２６として、残りの表示画素を非表示部２８とした場合を示している。同図において、横軸を時間軸として、上から順に、液晶表示パネル１２の表示期間、走査信号が印加されるゲート番号、信号ラインＳに印加される表示信号の極性、及び、対向電極１０６に印加される共通電圧ＶＣＯＭの信号波形を示している。
【００５８】
まず、液晶表示パネル１２の非表示部２８のリフレッシュ動作が行われるｘフレームでは、表示部２６に対応する期間では、走査ラインＧ1〜Ｇnが１ライン走査期間毎に順にスキャンされると共に、その表示部２６の表示画素に表示させる画像の表示信号が信号ラインＳに印加される。また、非表示部２８に対応する期間（リフレッシュ動作期間）において、各走査ラインＧn+1〜Ｇmが１ライン走査期間毎に順にスキャンされると共に、該非表示部２８の全表示画素白表示とするための表示信号が信号ラインＳに印加される。
【００５９】
続いて、ｘ＋１フレームでは、非表示部２８のリフレッシュ動作が行われない期間であるため、前記ｘフレームのようなリフレッシュ動作期間に対応する期間は存在せず、１フレーム期間を表示部２６の表示期間及びＦＰのみとする。しかしながら、１フレーム期間の時間は一定とする必要があるため、表示部２６のゲートスキャン及びライン反転駆動の周波数を下げて表示動作が行われる。つまり、非表示部２８が非スキャン状態であるとき、表示部２６の表示期間において、１ライン走査期間を、非表示部２８のリフレッシュ動作が行われるフレームでの１ライン走査期間より長くして、液晶表示パネル１２の走査ラインＧ1〜Ｇnが順にスキャンされると共に、表示部２６に表示させる画像の表示信号が信号ラインＳに印加される。
【００６０】
次のｘ＋２フレームについても、このｘ＋１フレームと同様の動作が行われる。
【００６１】
そして、ｘ＋３フレームにおいて、非表示部２８に印加される共通電圧ＶＣＯＭの極性が反転され、再び表示部２６のリフレッシュ動作が行われる。
【００６２】
以上のように、本第１実施形態では、非表示部２８のリフレッシュ動作を行わないフレーム期間（以下、インターバルフレーム期間と称する）において、非表示部２８の表示期間を無くし、表示部２６の表示期間のみとすることによって、表示部２６のゲートスキャン及びライン反転駆動の周波数を下げることができる。これにより、非表示部２８のインターバルフレーム期間における共通電圧（対向電極信号）ＶＣＯＭの極性反転の回数を、非表示部２８をリフレッシュ動作するフレーム期間における共通電圧ＶＣＯＭの極性反転の回数に対して減らすことができるので、液晶表示装置１０の消費電力を削減することができる。
【００６３】
［第２実施形態］
次に、本発明の第２実施形態を図示例と共に説明する。
【００６４】
なお、本第２実施形態に係る液晶表示装置１０の構成は、前記第１実施形態と同様であるので、その図示及び説明は省略する。
【００６５】
本第２実施形態は、非表示状態とする液晶表示パネルのリフレッシュ動作を全走査ライン一括して行うことにより、表示させる液晶表示パネルの対向電極に印加される対向電極信号の、１フレーム期間における極性反転の回数を、前記第１実施形態の場合に対して、更に減少させることを特徴とする。
【００６６】
図２（Ｂ）は、本実施形態に係る液晶表示装置１０の駆動方法において、パーシャル駆動時に、３フレームに１回のペースで非表示部２８を一括してリフレッシュ動作する場合の信号波形の一例を示す図である。ここでは、液晶表示パネル１２の走査ライン数を「ｍ」とし、その内のｎラインに相当する表示画素を表示部２６として、残りの表示画素を非表示部２８とした場合を示している。同図において、横軸を時間軸として、上から順に、液晶表示パネル１２の表示期間、走査信号が印加されるゲート番号、信号ラインＳに印加される表示信号の極性、対向電極１０６に印加される共通電圧ＶＣＯＭの信号波形、及び、各走査ラインＧの信号波形を示している。
【００６７】
まず、リフレッシュ動作が行われるｘフレームは、表示部２６に対応する表示期間、非表示部２８に対応する表示期間（リフレッシュ動作期間）及びＦＰから成る。表示部２６に対応する表示期間では、表示部２６の走査ラインＧ1〜Ｇnが１ライン走査期間毎に順にスキャンされると共に、表示部２６に表示させる画像の表示信号が信号ラインＳに印加される。
【００６８】
非表示部２８のリフレッシュ動作期間は、本実施形態では、１ライン走査期間に設定される。この非表示部２８のリフレッシュ動作期間においては、非表示部２８の各走査ラインが順次スキャンされて各表示画素が順次リフレッシュされるのではなく、当該非表示部２８の全走査ラインＧn+1〜Ｇmが一括して選択状態とされると共に、白表示を示す表示信号がソースドライバ部１４から全信号ラインＳに印加されることによりリフレッシュ動作が行われる。即ち、非表示部２８の一括駆動が行われる。
【００６９】
なお、本実施形態においては、非表示部２８のリフレッシュ動作期間において、非表示部２８に対応する全走査ラインＧn+1〜Ｇmを同時に選択状態にする必要があるが、これは例えば、ＴＧ部２２からゲートスタート信号として「１，１，１，１，１，…」の信号をシフトレジスタ回路２４に印加して、全てのレジスタに“１”を設定し、ゲートイネーブル信号の出力に同期して、シフトレジスタ回路２４の全レジスタから走査信号（ゲートパルス）を全走査ラインＧn+1〜Ｇmに印加することによって行うことができる。
【００７０】
続いて、ｘ＋１フレームでは、非表示部２８のリフレッシュ動作が行われないため、非表示部２８の表示期間は存在せず、例えば非表示部２８のリフレッシュ動作期間に対応する期間（１ライン走査期間）がＦＰとなって、このＦＰと表示部２６の表示期間とのみで１フレーム期間が構成される。表示部２６の表示期間において、表示部２６の走査ラインＧ1〜Ｇnが順にスキャンされると共に、表示部２６に表示させる画像の表示信号が信号ラインＳに印加される。
【００７１】
次のｘ＋２フレームについても、このｘ＋１フレームと同様の動作が行われる。
【００７２】
なおここで、リフレッシュ動作が行われるフレーム期間における非表示部２８のリフレッシュ動作期間と、リフレッシュ動作が行われないフレーム期間におけるＦＰとが同じ期間（１ライン走査期間）に設定される場合、両フレーム期間において、表示部２６のゲートスキャン及びライン反転駆動の周波数、及び、共通電圧ＶＣＯＭの極性反転の回数は同じに設定される。
【００７３】
そして、ｘ＋３フレームにおいて、非表示部２８に印加される共通電圧ＶＣＯＭの極性が反転され、再び表示部２６のリフレッシュ動作が行われる。
【００７４】
以上のように、本第２実施形態によれば、例えば、非表示部２８のリフレッシュ動作を行わないインターバルフレーム期間においては、前記第１実施形態の場合と同様に、非表示部２８の表示期間を無くし、表示部２６の表示期間のみとすることによって、表示部２６のゲートスキャン及びライン反転駆動の周波数を下げ、共通電圧（対向電極信号）ＶＣＯＭの極性反転の回数を減らすことができる。
【００７５】
更に、本第２実施形態においては、非表示部２８のリフレッシュ動作を行うフレーム期間において、非表示部２８のリフレッシュ動作期間を一括駆動により１ライン走査期間で行うようにすることによって、前記第１実施形態の場合のように、非表示部２８のリフレッシュ動作を各走査ラインに走査信号を順次印加して行う場合に比べて、表示部２６のゲートスキャン及びライン反転駆動のライン周波数を下げることができる。これにより、非表示部２８のリフレッシュ動作を行うフレーム期間においても、共通電圧ＶＣＯＭの極性反転回数を減らすことができるため、消費電力をより一層低減することができる。
【００７６】
なお、上述ではリフレッシュ動作を行う期間は１ライン走査期間として説明したが、全走査ラインにかかる負荷容量を考慮すると、短時間内に一括駆動を行うと負担が大きくなり、１ライン走査期間内でリフレッシュ動作が完了しない場合がある。そこでリフレッシュ動作を行う期間を１ライン走査期間の複数倍の期間としても良い。
【００７７】
［第３実施形態］
次に、本発明の第３実施形態を図示例と共に説明する。
【００７８】
なお、本第３実施形態に係る液晶表示装置１０の構成は、前記第１実施形態と同様であるので、その図示及び説明は省略する。
【００７９】
本第３実施形態は、前記第２実施形態に対し、非表示部２８のリフレッシュ動作を、当該非表示部２８の全走査ラインを複数の走査ライン毎に分割し、分割した複数の走査ライン毎に行うことを特徴とする。
【００８０】
図３（Ａ）は、本実施形態に係る液晶表示装置１０の駆動方法において、パーシャル駆動時に、３フレームに１回のペースで非表示部２８の全走査ラインを２つに分割してリフレッシュ動作する場合の信号波形の一例を示す図である。ここでは、液晶表示パネル１２の走査ライン数を「ｍ」とし、その内のｎラインに相当する表示画素を表示部２６として、残りの表示画素を非表示部２８とした場合を示している。同図において、横軸を時間軸として、上から順に、液晶表示パネル１２の表示期間、走査信号が印加されるゲート番号、信号ラインＳに印加される表示信号の極性、対向電極１０６に印加される共通電圧ＶＣＯＭの信号波形、及び、各走査ラインＧの信号波形を示している。
【００８１】
まず、リフレッシュ動作が行われるｘフレームは、表示部２６に対応する表示期間、非表示部２８に対応する表示期間（リフレッシュ動作期間）及びＦＰから成る。ここで、ＦＰは１ライン走査期間に設定される。表示部２６に対応する表示期間では、表示部２６の走査ラインＧ1〜Ｇnが順にスキャンされると共に、表示部２６に表示させる画像の表示信号が信号ラインＳに印加される。
【００８２】
非表示部２８のリフレッシュ動作期間は、本実施形態では、１ライン走査期間の２倍の期間（２ライン走査期間）である。非表示部２８の各走査ラインは、例えば奇数走査ラインと偶数走査ラインの２つに分割され、非表示部２８のリフレッシュ動作期間の前半では、奇数走査ラインが一括して選択状態とされると共に、白表示を示す表示信号がソースドライバ部１４から全信号ラインＳに印加されることによりリフレッシュ動作が行われる。そして、非表示部２８のリフレッシュ動作期間の後半では、偶数走査ラインが一括して選択状態とされると共に、白表示を示す表示信号がソースドライバ部１４から全信号ラインＳに印加されることによりリフレッシュ動作が行われる。即ち、非表示部２８はその全領域が２回に分けてリフレッシュされる。
【００８３】
続いて、ｘ＋１フレームでは、非表示部２８のリフレッシュ動作が行われないため、非表示部２８の表示期間は存在せず、表示部２６の表示期間とＦＰのみとなる。ここで、ＦＰは１ライン走査期間の３倍の期間（３ライン走査期間）に設定される。表示部２６の表示期間において、表示部２６の走査ラインＧ1〜Ｇnが順にスキャンされると共に、表示部２６に表示させる画像の表示信号が信号ラインＳに印加される。
【００８４】
次のｘ＋２フレームについても、このｘ＋１フレームと同様の動作が行われる。
【００８５】
そして、ｘ＋３フレームにおいて、非表示部２８に印加される共通電圧ＶＣＯＭの極性が反転され、再び表示部２６のリフレッシュ動作が行われる。
【００８６】
なおここで、リフレッシュ動作が行われるフレーム期間における非表示部２８のリフレッシュ動作期間及びＦＰを合わせた期間と、リフレッシュ動作が行われないフレーム期間におけるＦＰとが同じ期間（３ライン走査期間）に設定される場合、両フレーム期間において、表示部２６のゲートスキャン及びライン反転駆動の周波数、及び、共通電圧ＶＣＯＭの極性反転の回数は同じに設定される。
【００８７】
以上のように、本第３実施形態によれば、前記第１及び第２実施形態の場合と同様に、例えば、非表示部２８のリフレッシュ動作を行わないインターバルフレーム期間においては、非表示部２８の表示期間を無くし、表示部２６の表示期間のみとすることによって、表示部２６のゲートスキャン及びライン反転駆動の周波数を下げると共に、共通電圧（対向電極信号）ＶＣＯＭの極性反転の回数を減らすことができる。
【００８８】
更に、本第３実施形態においては、非表示部２８のリフレッシュ動作を行うフレーム期間において、非表示部２８のリフレッシュ動作期間を、該非表示部２８に対応する全走査ラインを複数の走査ライン毎に分割して、分割した複数の走査ライン毎にリフレッシュ動作を行うことによって、前記第１実施形態の場合のように非表示部２８のリフレッシュ動作を各走査ラインに走査信号を順次印加して行う場合に比べて、表示部２６のゲートスキャン及びライン反転駆動のライン周波数を下げると共に、非表示部２８のリフレッシュ動作を行うフレーム期間においても、前記第２実施形態の場合のように非表示部２８のリフレッシュ動作期間を一括駆動により１ライン走査期間で行う場合に比べて、共通電圧ＶＣＯＭの極性反転回数を減らすことができるため、消費電力をより一層低減することができる。
【００８９】
なお、上述では非表示部２８の走査ラインを偶数走査ラインと奇数走査ラインの２つに分割して、それぞれ別のタイミングでリフレッシュすることとして説明したが、走査ラインにかかる負荷容量を考慮して、分割数は２つ以上の数、３つや４つでも構わない。この場合、リフレッシュ動作期間にかかる走査期間も分割数に応じて増やすこととなる。例えば、全走査ラインを３分割してリフレッシュ動作を行う場合は、リフレッシュ動作期間として３ライン走査期間要する。
【００９０】
ここで、本第３実施形態を実現するためのゲートドライバの制御方法について説明する。
【００９１】
本実施形態における駆動方法を実現するためには、非表示部２８のリフレッシュ動作期間が来る前に、シフトレジスタ回路２４を構成する各レジスタに、各レジスタに対応する走査ラインの選択／非選択を示すデータを入れておく必要がある。そこで、例えば、非表示部２８の走査ラインを奇数走査ラインと偶数走査ラインに２分割してリフレッシュ動作を行う場合、ＴＧ部２２からゲートスタート信号として、「１，０，１，０，１，…」の信号をシフトレジスタ回路２４に印加する。ここで、“１”がライン選択、“０”がライン非選択を示すデータとなる。なお、全走査ラインを３分割する場合は、ゲートスタート信号は「１，０，０，１，０，０，１，…」となり、４分割する場合は、ゲートスタート信号は「１，０，０，０，１，０，０，０，１，…」となる。そして、ゲートクロック信号に同期して、ゲートスタート信号がシフトレジスタ回路２４に入力されると共に、順次シフト動作が行われる。この動作は全てのレジスタにデータが保持されるまで続けられ、最終的には奇数走査ラインに対応するレジスタが“１”、偶数走査ラインに対応するレジスタに“０”が設定される状態となる。
【００９２】
次に、ゲートイネーブル信号の出力に同期して、シフトレジスタ回路２４の各レジスタにおいて“１”に設定されているレジスタに対応する走査ラインが選択状態となる。即ち、走査ラインＧn+1等の奇数走査ラインに信号が印加され、リフレッシュ動作が行われる（但しｎが偶数の場合）。
【００９３】
またゲートイネーブル信号の出力と同時に、ゲートクロック信号が出力される。このクロック出力に同期して、シフトレジスタ回路２４がシフト動作される。このシフト動作によって、奇数走査ラインに対応するレジスタが“０”、偶数走査ラインに対応するレジスタが“１”が設定される状態となる。そして２番目のゲートイネーブル信号の出力に対応して、シフトレジスタ回路２４の各レジスタにおいて“１”に設定されているレジスタに対応する走査ラインが選択状態となる。即ち、走査ラインＧ2等の偶数走査ラインに信号が印加され、リフレッシュ動作が行われる。
【００９４】
なお、シフトレジスタ回路２４に対してゲートスタート信号を入力させる動作は非表示部２８のリフレッシュ動作期間が来る前であればいつでもよく、表示部２６の表示期間や非表示部２８をリフレッシュしないインターバルフレーム期間など、該当部の待機期間を利用すれば容易である。
【００９５】
［第４実施形態］
次に、本発明の第４実施形態を図示例と共に説明する。
【００９６】
なお、本第４実施形態に係る液晶表示装置１０の構成は、前記第１実施形態と同様であるので、その図示及び説明は省略する。
【００９７】
本第４実施形態は、前記第３実施形態のように、非表示部２８のリフレッシュ動作を、当該非表示部２８の全走査ラインを複数の走査ライン毎に分割し、分割した複数の走査ライン毎に行う際に、それをライン反転駆動で行うことを特徴とする。
【００９８】
図３（Ｂ）は、本実施形態に係る液晶表示装置１０の駆動方法において、パーシャル駆動時に、３フレームに１回のペースで非表示部２８の全走査ラインを２つに分割してリフレッシュ動作する場合の信号波形の一例を示す図である。ここでは、液晶表示パネル１２の走査ライン数を「ｍ」とし、その内のｎラインに相当する表示画素を表示部２６として、残りの表示画素を非表示部２８とした場合を示している。同図において、横軸を時間軸として、上から順に、液晶表示パネル１２の表示期間、走査信号が印加されるゲート番号、信号ラインＳに印加される表示信号の極性、対向電極１０６に印加される共通電圧ＶＣＯＭの信号波形、及び、各走査ラインＧの信号波形を示している。
【００９９】
前記第３実施形態で説明した駆動制御方法では、対向電極１０６に印加される共通電圧ＶＣＯＭはリフレッシュ動作が行われる複数フレーム（３フレーム）毎に極性反転されることとしたが、本実施形態は、同図に示すように、この非表示部２８のリフレッシュ動作を行うフレーム期間において、非表示部２８の表示期間に対向電極１０６に印加される共通電圧ＶＣＯＭを、表示部２６の表示期間に対向電極１０６に印加される共通電圧ＶＣＯＭと同じ周期で極性反転する。
【０１００】
以上のように、本第４実施形態によれば、前記第１乃至第３実施形態の場合と同様に、例えば、非表示部２８のリフレッシュ動作を行わないインターバルフレーム期間においては、非表示部２８の表示期間を無くし、表示部２６の表示期間のみとすることによって、表示部２６のゲートスキャン及びライン反転駆動の周波数を下げると共に、共通電圧（対向電極信号）ＶＣＯＭの極性反転の回数を減らすことができる。
【０１０１】
更に、本第４実施形態においては、非表示部２８のリフレッシュ動作を行うフレーム期間において、非表示部２８のリフレッシュ動作期間を、該非表示部２８に対応する全走査ラインを複数の走査ライン毎に分割して、分割した複数の走査ライン毎にリフレッシュ動作を行うことによって、前記第１実施形態の場合のように非表示部２８のリフレッシュ動作を各走査ラインに走査信号を順次印加して行う場合に比べて、表示部２６のゲートスキャン及びライン反転駆動のライン周波数を下げると共に、非表示部２８のリフレッシュ動作を行うフレーム期間においても、前記第３実施形態と同様に、共通電圧ＶＣＯＭの極性反転回数を減らすことができるため、消費電力をより一層低減することができる。
【０１０２】
加えて、本第４実施形態によれば、表示部２６と非表示部２８とで、対向電極１０６に印加される共通電圧（対向電極信号）ＶＣＯＭを同相にすることができ、回路規模の縮小を図ることが可能である。
【０１０３】
以上実施形態に基づいて本発明を説明したが、本発明は上述した実施形態に限定されるものではなく、本発明の要旨の範囲内で種々の変形や応用が可能なことは勿論である。
【図面の簡単な説明】
【０１０４】
【図１】（Ａ）は本発明の第１実施形態に係る液晶表示装置の全体構成を示すブロック図であり、（Ｂ）は表示画素の構成の一例を示す等価回路図である。
【図２】（Ａ）は第１実施形態に係る液晶表示装置の駆動方法におけるパーシャル駆動時のリフレッシュ動作を含む信号波形の一例を示す図であり、（Ｂ）は本発明の第２実施形態に係る液晶表示装置の駆動方法におけるパーシャル駆動時のリフレッシュ動作を含む信号波形の一例を示す図である。
【図３】（Ａ）は本発明の第３実施形態に係る液晶表示装置の駆動方法におけるパーシャル駆動時のリフレッシュ動作を含む信号波形の一例を示す図であり、（Ｂ）は本発明の第４実施形態に係る液晶表示装置の駆動方法におけるパーシャル駆動時のリフレッシュ動作を含む信号波形の一例を示す図である。
【図４】（Ａ）は従来の液晶表示パネルの信号波形を示す図であり、（Ｂ）は従来の液晶表示パネルのパーシャル駆動時のリフレッシュ動作を含む信号波形を示す図である。
【符号の説明】
【０１０５】
１０…液晶表示装置
１２…液晶表示パネル
１４…ソースドライバ部
１６…ゲートドライバ部
１８…ＶＣＯＭ信号発生部
２０…信号処理部
２２…タイミングジェネレータ（ＴＧ部）
２４…シフトレジスタ回路
２５…反転回路
２６…表示部
２８…非表示部
１００…表示画素
１０２…薄膜トランジスタ（ＴＦＴ）
１０４…画素電極
１０６…対向電極
１０８…画素容量
１１０…補助容量
Ｇ…走査ライン
Ｓ…信号ライン
Ｃ…共通ライン
ＶＣＯＭ…共通電圧
【図１】
2008185996.tif 000003
【図２】
2008185996.tif 000004
【図３】
2008185996.tif 000005
【図４】
2008185996.tif 000006